(57)【要約】【課題】ハンドストラップに付属または市販のネックストラップやショルダーストラップを着脱可能に取り付けられるカメラ用ハンドストラップを提供する。【解決手段】ハンドストラップ本体２とカメラ取り付けひも３，３とを留め金具６，６によって着脱可能に連結させて、カメラにハンドストラップ本体を取り付けた状態でも、ハンドストラップ本体を取り外した状態でも、ハンドストラップ本体をショルダーストラップに取り替えてショルダーストラップとしても使えるようにする。さらに、カメラ取り付けひもに、付属または市販のショルダーストラップを取り付けるための環体４，４を設けて、ハンドストラップとショルダーストラップを併用できるようにする。【選択図】図１
2016126173.tif 000002
【特許請求の範囲】
【請求項１】
カメラ用ハンドストラップであって、
前記カメラ用ハンドストラップが、ハンドストラップ本体と、前記ハンドストラップ本体の両端に着脱可能に取り付けられるカメラ取り付けひもとを有してなり、
前記カメラ取り付けひもに、ネックストラップまたはショルダーストラップを取り付けるための環体が備えられていることを特徴とするカメラ用ハンドストラップ。
【請求項２】
前記カメラ取り付けひもに、ケーブルやコードを留めるための結束部材が備えられていることを特徴とする請求項１に記載のカメラ用ハンドストラップ。
【請求項３】
前記ハンドストラップ本体が、持ち手ひもと、枠体とその枠体の内側に配設された中軸とを備えた長さ調節用器具と、留め金具とを有してなり、
前記留め金具に取り付けられた持ち手ひもが、前記長さ調節用器具の枠体のうち中軸と平行な一辺に通されてから、前記留め金具に通され、前記長さ調節用器具の中軸に通されてから、その他端が別の留め金具に取り付けられていることを特徴とする請求項２に記載のカメラ用ハンドストラップ。
【請求項４】
前記長さ調節用器具の中軸が、回転自在であることを特徴とする請求項３に記載のカメラ用ハンドストラップ。
【発明の詳細な説明】
【技術分野】
【０００１】
この発明は、カメラ用ハンドストラップに関し、特にハンドストラップにネックストラップやショルダーストラップを着脱可能に取り付けられるカメラ用ハンドストラップに関する。
【背景技術】
【０００２】
カメラ用ハンドストラップとしては、ハンドストラップ本体に膨らみをもった膨出部を形成し、この膨出部をネックストラップ本体に設けられた縦長の切り込みの入った溝形の保持部に差し込み、膨出部を保持部に係合させることで、使用状態に合わせて、ネックストラップまたはハンドストラップのどちらかを使用できるようにしたものが提案されている（例えば、特許文献１参照）。
【０００３】
また、別のカメラ用ストラップとしては、ネックストラップやショルダーストラップとして適した長さのストラップ本体に、ストラップ本体の輪の部分にひも止め部材とひも止めヒンジからなるひも長さ調整部材を設けることで、輪の大きさをワンタッチで変えられるようにして、ハンドストラップとしても使用できるようにしたものが提案されている（例えば、特許文献２参照）。
【０００４】
さらに、発明者と協力関係にある者が発明したストラップとしては、肩ひもの一端を中軸と平行な枠体の一辺に取り付け、肩ひもの他端側を中軸に通すことで、その長さを調節できるようにしたものが提案されている（例えば、特許文献３参照）。このストラップでは、ストラップをたすき掛けにしたまま、コキを滑るように動かして、片手で長さを調節することができるようになっている。
【先行技術文献】
【特許文献】
【０００５】
【特許文献１】実用新案登録第３１０８５０２公報（段落００１１、図３）
【特許文献２】特開平１０−１３３２７４号公報（段落００２４）
【特許文献３】特願２０１２−１４６１８３（段落００１５、図２）
【発明の概要】
【発明が解決しようとする課題】
【０００６】
しかしながら、前記特許文献１に係るカメラ用ハンドストラップでは、ハンドストラップ本体に形成した膨出部をネックストラップ本体に設けられた保持部に差し込んで係合させているために、ネックストラップは特許文献１に係るカメラ用ハンドストラップ専用のものでなければならない。そのため、前記特許文献１に係るカメラ用ハンドストラップでは、カメラに付属のネックストラップや市販のネックストラップを組み合わせて使用することができない。
【０００７】
前記特許文献２に係るストラップでは、ストラップ本体の輪の部分にひも長さ調整部材を設けて輪の大きさを変えているために、ネックストラップに適した長さのストラップ本体をハンドストラップとして用いる場合には、ひも長さ調整部材より先の部分のストラップ本体が長く残り邪魔になる。
【０００８】
また、前記特許文献２に係るストラップでは、ストラップ本体の輪の部分にひも長さ調整部材を設けているために、ネックストラップに適した長さのストラップ本体は特許文献２に係るストラップ専用のものでなければならない。そのため、前記特許文献２に係るストラップでは、カメラに付属のネックストラップや市販のネックストラップをストラップ本体として利用することができない。
【０００９】
前記特許文献３に係るストラップでは、ストラップをたすき掛けにしたまま、片手で長さを調節するといったストラップの新たな機能が提供されたことを受け、特許文献３に係るストラップをカメラ専用のストラップとして、写真家（フォトグラファーともいう。）の意見を反映させて、より魅力的な商品にしたいとの要望を耳にするようになった。
【００１０】
そこで、この発明では、前記した課題を解決し、ハンドストラップに付属または市販のネックストラップやショルダーストラップを着脱可能に取り付けられるカメラ用ハンドストラップを提供することを目的とする。さらに、この発明では、発明者と協力関係にある者が発明したストラップ（前記特許文献３に係るストラップのほか、出願公開をされていない特許出願に係るストラップのこと。）の技術を利用して、長さ調節機能を有するカメラ用ハンドストラップを提供することを目的とする。
【課題を解決するための手段】
【００１１】
前記課題を解決するため、請求項１に係る発明では、カメラ用ハンドストラップをハンドストラップ本体と、そのハンドストラップ本体の両端に着脱可能に取り付けられるカメラ取り付けひもとを有して構成し、カメラ取り付けひもにネックストラップまたはショルダーストラップを取り付けるための環体を取り付けた。
【００１２】
請求項２に係る発明では、カメラ取り付けひもに、ケーブルやコードを留（と）めるための結束部材を取り付けた。
【００１３】
請求項３に係る発明では、ハンドストラップ本体を持ち手ひもと、枠体とその枠体の内側に配設された中軸とを備えた長さ調節用器具（以下、コキという。）と、留め金具（以下、バックルという。）とを有して構成し、バックルに取り付けられた持ち手ひもを、コキの枠体のうち中軸と平行な一辺に通してから、バックルに通した。そして、バックルに通した持ち手ひもを、コキの中軸に通してから、持ち手ひもの他端を別のバックルに取り付けた。
【００１４】
請求項４に係る発明では、長さ調節用器具の中軸を回転自在にした。
【発明の効果】
【００１５】
請求項１に係る発明によれば、カメラ用ハンドストラップをハンドストラップ本体と、そのハンドストラップ本体の両端に着脱可能に取り付けられるカメラ取り付けひもとを有して構成したので、ハンドストラップ本体を容易に取り外すことができる。そこで、請求項１に係る発明によれば、カメラにハンドストラップ本体を取り付けた状態でも、ハンドストラップ本体を取り外した状態でも、使いやすいように変えることができる。さらに、請求項１に係る発明によれば、ハンドストラップ本体を着脱可能に取り付けられるネックストラップやショルダーストラップに取り替えることで、ハンドストラップをネックストラップやショルダーストラップとして使うこともできる。
【００１６】
請求項１に係る発明によれば、カメラ取り付けひもにネックストラップまたはショルダーストラップを取り付けるための環体を有するので、その環体に付属または市販のネックストラップやショルダーストラップを取り付けることができる。そこで、請求項１に係る発明によれば、カメラにハンドストラップとネックストラップかショルダーストラップを同時に取り付けることもできる。また、環体には、ネックストラップやショルダーストラップのほかに、キャラクターのストラップなどのはん用アクセサリーを取り付けることもできる。
【００１７】
請求項２に係る発明によれば、カメラ取り付けひもに、ケーブルやコードを留めるための結束部材を有するので、ケーブルやコードの脱落や紛失を防ぐことができる。また、請求項２に係る発明によれば、ハンドストラップにケーブルを固定できるので、ケーブルに負荷が掛かってケーブルポートが破損することも防ぐことができる。
【００１８】
請求項３に係る発明によれば、バックルに取り付けられた持ち手ひもを、コキの枠体のうち中軸と平行な一辺に通してからバックルに通し、バックルに通した持ち手を、コキの中軸に通したので、持ち手ひもをコキとバックルの間で３重にすることができる。そして、請求項３に係る発明によれば、持ち手ひもの他端側を持ち手ひもの一端が取り付けられている中軸に通すという従来の通し方と比べて、持ち手ひも同士が接する面積を減らすことができる。そのために、コキを滑るように動かすことができる。その結果として、コキを滑るように動かして、ストラップの長さを調節することができる。さらに、コキを滑らせるように動かして長さを調節するので、無段階に、所望の長さに微調節することもできる。
【００１９】
さらに、前記特許文献３に係る発明者と協力関係にある者が発明したストラップによる以前に発明したストラップでは、肩ひもの重なりが２重であるのに対し、請求項３に係る発明によれば、持ち手ひもをコキとバックルの間で３重にすることができるので、前記特許文献３に係る発明に比べて、長さ調節機能を約２倍に向上させることができる。このように、請求項３に係る発明によれば、ストラップの長さを大きく調節できるので、ストラップを伸ばして手首に巻き付けたり、カメラを小わきに抱える際にストラップを肩に掛けたりすることもできる。
【００２０】
また、請求項３に係る発明によれば、ストラップの長さを大きく調節できるハンドストラップとネックストラップやショルダーストラップを同時に取り付けることができるので、ハンドストラップを伸ばしてウエストベルトとして使うことができる。そこで、請求項３に係る発明によれば、カメラを首掛けや肩掛けしたときに起こる、歩行時のカメラのぶらつきを防ぐことができる。
【００２１】
請求項４に係る発明によれば、長さ調節用器具の中軸を回転自在にしたので、コキをより軽い力で、より滑らかに動かすことができる。そこで、請求項４に係る発明によれば、より軽い力で、より滑らかにストラップの長さを調節することができる。
【図面の簡単な説明】
【００２２】
【図１】実施形態に係るカメラ用ハンドストラップの斜視図のうち、カメラにカメラ用ハンドストラップを取り付けた状態を示す斜視図である。
【図２】実施形態に係るカメラ用ハンドストラップの斜視図のうち、ハンドストラップ本体の斜視図である。
【図３】（ａ）は実施形態に係るハンドストラップ本体の長さを調節する仕組みを説明する斜視図のうち、調節前の状態を示す斜視図であり、（ｂ）はハンドストラップ本体を短くする仕組みを示す斜視図であり、（ｃ）はハンドストラップ本体を長くする仕組みを示す斜視図である。
【図４】実施形態に係るカメラ用ハンドストラップの斜視図のうち、カメラ用ハンドストラップにショルダーストラップを取り付けた状態を示す斜視図である。
【図５】他の実施形態に係るカメラ用ハンドストラップの斜視図のうち、カメラ用ハンドストラップにネックストラップを取り付けた状態を示す斜視図である。
【発明を実施するための形態】
【００２３】
まず、この発明の創作の基礎となる事項について簡単に説明する。発明者は、写真家であり、主に国内外の結婚式などの写真撮影、アルバムの編集・制作・製本を行っている。そして、発明者は、写真家として撮影技術に磨きを掛けるとともに、撮影機材についても様々な工夫を凝らしてきた。
【００２４】
そうした中で発明者は、一眼レフカメラにネックストラップが付属されているにもかかわらず、発明者を始めスタジオで撮影を行う写真家がネックストラップを付けていないことから、ストラップの在り方ついて考え始めた。
【００２５】
そして、発明者は、写真家以外にも、カメラを常時バックに入れて携行する人や、カメラを室内や三脚に装着して使う人などは、撮影の邪魔になることから、ネックストラップを付けていないことに気付いた。しかし、カメラのグリップはカメラを持ち運びやすいようにデザインされていないことから、ストラップがないと、カメラをバックから取り出す際や、カメラを持ち運んだり三脚に取り付ける際に、持ちにくいばかりか誤ってカメラを落としてしまうこともある。また、ストラップがないと、カメラを置く場所がないときにもカメラを持っておかなければならず不便である。
【００２６】
そこで、発明者は、一眼レフカメラにネックストラップが付属されていることもあって、一眼レフカメラにはネックストラップが必須と考えられているところ、一眼レフカメラにはカメラの持ち手としてのハンドストラップが主であり、ネックストラップが補助といった、常識に反した発想から、この発明を創作するに至ったものである。
【００２７】
また、発明者は、発明者と協力関係にある者が発明したストラップの技術を利用して、ハンドストラップに長さ調節機能を有するようにすれば、ハンドストラップ一本で、カメラの持ち手から、手首に巻き付けたり、肩に掛けたりと幅広く使えることを見いだし、この発明を創作するに至ったものである。
【００２８】
次に、この発明の実施形態について、適宜図面を参照しながら詳細に説明する。図１は、実施形態に係るカメラ用ハンドストラップの斜視図のうち、カメラにカメラ用ハンドストラップを取り付けた状態を示す斜視図である。図１に示すように、カメラ用ハンドストラップ１は、ハンドストラップ本体２と、ハンドストラップ本体２の両端に着脱可能に取り付けられるカメラ取り付けひも３，３と、カメラ取り付けひも３，３にネックストラップまたはショルダーストラップを取り付けるための環体（以下、Ｄカンという。）４，４と、カメラ取り付けひも３，３にケーブルやコードを留めるための結束部材５とを有して構成されている。
【００２９】
ハンドストラップ本体２は、ひも状の部材である。ハンドストラップ本体２は、カメラを持ち運んだり、バックからカメラを取り出したりするときに、つかめるようにする部材である。また、ハンドストラップ本体２は、カメラを置く場所がないときには、腕に通せるようにする部材でもある。そして、ハンドストラップ本体２は、その両端にカメラ取り付けひも３，３を着脱可能に取り付けられるよう、ここでは留め金具（以下、バックルという。）６，６を備えている。
【００３０】
カメラ取り付けひも３，３は、ひも状の部材である。カメラ取り付けひも３，３は、その一端をカメラ本体のストラップ取り付け金具に通して、カメラ用ハンドストラップ１をカメラに取り付けるための部材である。そして、カメラ取り付けひも３，３は、その他端に
ハンドストラップ本体２を着脱可能に取り付けられるよう、ここではバックル６，６を備えている。
【００３１】
結束部材５は、帯状の部材であり、ここでは二つ折りにした内面に、図示しない面ファスナーを備えている。そして、結束部材５は、二つ折りにした内面にケーブルやコードを挟み、ケーブルやコードをカメラ取り付けひも３に留めるための部材である。
【００３２】
以上のように構成されたカメラ用ハンドストラップ１では、ハンドストラップ本体２とカメラ取り付けひも３，３とをバックル６，６によって着脱可能に連結させているために、バックル６，６を外せばハンドストラップ本体２をカメラから容易に取り外せ、バックル６，６を留めればハンドストラップ本体２をカメラに容易に取り付けられる。そこで、カメラ用ハンドストラップ１では、カメラにハンドストラップ本体２を取り付けた状態でも、ハンドストラップ本体２を取り外した状態でも、使いやすいように変えられる。
【００３３】
さらに、以上のように構成されたカメラ用ハンドストラップ１では、ハンドストラップ本体２とカメラ取り付けひも３，３とをバックル６，６によって着脱可能にしているために、バックル６，６に合うバックルを備えたネックストラップやショルダーストラップであれば、ハンドストラップ本体２をネックストラップやショルダーストラップに取り替えて、ハンドストラップをネックストラップやショルダーストラップとしても使える。
【００３４】
また、以上のように構成されたカメラ用ハンドストラップ１では、カメラ取り付けひも３，３にＤカン４，４が備えられているために、Ｄカン４，４に付属または市販のネックストラップやショルダーストラップを取り付けられる。そこで、カメラ用ハンドストラップ１では、カメラにハンドストラップとネックストラップかショルダーストラップを同時に取り付けられる。また、Ｄカン４，４には、ネックストラップやショルダーストラップのほかに、例えばキャラクターストラップなどのはん用アクセサリーを取り付けられる。
【００３５】
加えて、以上のように構成されたカメラ用ハンドストラップ１では、カメラ取り付けひも３に、ケーブルやコードを留めるための結束部材５が備えられているために、ケーブルやコードをカメラ取り付けひも３に留められる。
【００３６】
図２は、実施形態に係るカメラ用ハンドストラップ１の斜視図のうち、ハンドストラップ本体２の斜視図である。図２に示すように、ハンドストラップ本体２は、持ち手ひも２１と、長さ調節用器具（以下、コキという）２２と、回転環２３と、操作片２４と、バックル６ａ，６ｂとを有して構成されている。
【００３７】
持ち手ひも２１は、ひも状の部材である。持ち手ひも２１は、カメラを持ち運んだり、バックからカメラを取り出したりするときに、つかめるようにする部材である（図１参照）。また、ハンドストラップ本体２は、カメラを置く場所がないときには、腕に通せるようにする部材でもある。そして、持ち手ひも２１は、その両端にカメラ取り付けひも３，３（図１参照）を着脱可能に取り付けられるよう、ここではバックル６ａ，６ｂを備えている。
【００３８】
コキ２２は、枠状の部品であって、枠体２２ａと、枠体２２ａの内側に配設された中軸２２ｂと、中軸２２ｂに回転自在にはめられた回転環２３とからなる。コキ２２は、持ち手ひも２１をずれないように固定し、持ち手ひも２１の長さを調節する部品である。
【００３９】
バックル６ａ，６ｂは、ひも状のものを着脱可能に連結させる留め金具である。バックル６ａ，６ｂは、ここではワンタッチで着脱可能な、いわゆるサイドリリースタイプのバックルであり、その一端にアジャスター機能を付与するのための中軸６１ａを有している。
【００４０】
操作片２４は、小片状の部材であり、持ち手ひも２１が通された枠体２２ａの一辺と対向する一辺に取り付けられている。
【００４１】
図２に示すように、実施形態に係るハンドストラップ本体２では、バックル６ａに取り付けられた持ち手ひも２１が、枠体２２ａのうち中軸２２ｂと平行な一辺に通されてから、バックルの中軸６１ａに通されている。そして、バックルの中軸６１ａに通された持ち手ひも２１が、コキの中軸２２ｂに通されてから、持ち手ひもの他端２１ｂが別のバックル６ｂに取り付けられている。
【００４２】
以上のように構成されたハンドストラップ本体２では、バックル６ａに取り付けられた持ち手ひも２１を、枠体２２ａのうち中軸２２ｂと平行な一辺に通してから、バックルの中軸６１ａに通しているために、持ち手ひも２１がコキ２２とバックル６ａの間で３重になる。
【００４３】
また、以上のように構成されたハンドストラップ本体２では、バックル６ａに取り付けられた持ち手ひも２１を、枠体２２ａのうち中軸２２ｂと平行な一辺に通してから、バックルの中軸６１ｂに通しているために、バックル６ａにおいて持ち手ひも２１が互いに接した状態で重ならない。そのために、ハンドストラップ本体２の長さを調節するときに、バックル６ａにおいて持ち手ひも２１が互いに擦れ合うことがない。
【００４４】
さらに、以上のように構成されたハンドストラップ本体２では、一本の持ち手ひも２１でハンドストラップ本体２を構成しているために、具体的には持ち手ひもの一端２１ａをバックル６ａに取り付け、持ち手ひもの他端２１ｂを別のバックル６ｂに取り付けているために、持ち手ひも２１が垂れ下がらない。
【００４５】
加えて、以上のように構成されたハンドストラップ本体２では、コキの中軸２２ｂに回転自在にはめられた回転環２３を備え、回転環２３に持ち手ひも２１を通しているために、コキ２２がより軽い力で、より滑らかに動く。
【００４６】
図３は、実施形態に係るハンドストラップ本体２の長さを調節する仕組みを説明する斜視図である。そして、図３の（ａ）は、調節前の状態を示す斜視図であり、図３の（ｂ）は、ハンドストラップ本体２を短くする仕組みを示す斜視図であり、図３の（ｃ）は、ハンドストラップ本体２を長くする仕組みを示す斜視図である。
【００４７】
図３の（ｂ）に示すように、操作片２４を矢印の方向に引っ張ると、コキ２２が滑るように矢印の方向に動く。そして、持ち手ひも２１の重なりが増えて、より詳しくはコキ２２とバックル６ａの間の持ち手ひも２１が３重になる長さが長くなって、ハンドストラップ本体２が短くなる。
【００４８】
図３の（ｃ）に示すように、操作片２４を矢印の方向に引っ張ると、コキ２２が滑るように矢印の方向に動く。そして、持ち手ひも２１の重なりが減って、より詳しくはコキ２２とバックル６ａの間の持ち手ひも２１が３重になる長さが短くなって、ハンドストラップ本体２が長くなる。
【００４９】
実施形態に係るハンドストラップ本体２では、バックル６ａに取り付けられた持ち手ひも２１を、枠体２２ａのうち中軸２２ｂと平行な一辺に通してからバックルの中軸６１ａに通し、バックルの中軸６１ａに通した持ち手ひも２１をコキの中軸２２ｂに通しているために（図２参照）、コキ２２が滑るように動く。そして、実施形態に係るハンドストラップ本体２では、コキ２２が滑るように動くために、思い通りにコキ２２を動かして止められる。
【００５０】
図３に示すように、実施形態に係るハンドストラップ本体２では、操作片２４を引っ張ってコキ２２を滑るように動かしてハンドストラップ本体２の長さを調節できるために、カメラ用ハンドストラップ１一本で、ハンドストラップ本体２をカメラの持ち手から、手首に巻き付けたり、肩に掛けたりと幅広く使える。
【００５１】
図４は、実施形態に係るカメラ用ハンドストラップ１の斜視図のうち、カメラ用ハンドストラップ１にショルダーストラップＳを取り付けた状態を示す斜視図である。図４に示すように、Ｄカン４，４に、ここでは前記特許文献３に係る発明者と協力関係にある者が発明したショルダーストラップＳが取り付けられている。
【００５２】
実施形態に係るカメラ用ハンドストラップ１では、カメラ取り付けひも３，３にＤカン４，４が備えられているために、Ｄカン４，４にショルダーストラップＳを取り付けると、ハンドストラップとショルダーストラップを併用できる。そこで、カメラ用ハンドストラップ１では、ハンドストラップ本体２をカメラの持ち手として、例えばカメラをバックから取り出す際に使い、ショルダーストラップＳを肩ひもとして、カメラをたすき掛けにして携行する際に使える。
【００５３】
ここで、実施形態に係るカメラ用ハンドストラップ１では、前記特許文献３に係る発明者と協力関係にある者が発明したショルダーストラップＳが取り付けられているために、ショルダーストラップＳをたすき掛けにしたまま、片手で長さを調節することができる。そのため、実施形態に係るカメラ用ハンドストラップ１では、例えばカメラをたすき掛けにしやすいようにショルダーストラップＳを長くしておいて、カメラをたすき掛けにしてから、ショルダーストラップＳを短くして、カメラが体に密着させられる。このとき、ハンドストラップ本体２を伸ばしてウエストベルトとして使うと、カメラを肩掛けしたときに起こる、歩行時のカメラのぶらつきを防げる。
【００５４】
図５は、他の実施形態に係るカメラ用ハンドストラップ１’の斜視図のうち、カメラ用ハンドストラップ１’にネックストラップＳ’を取り付けた状態を示す斜視図である。図５に示すように、他の実施形態に係るカメラ用ハンドストラップ１’では、ハンドストラップ本体２’が一本のひもである点で、実施形態に係るハンドストラップ本体２（図４参照）と異なる。
【００５５】
以上、この発明の実施形態について説明したが、この発明は前記実施形態には限定されない。例えば、実施形態に係るカメラ用ハンドストラップ１では、カメラに取り付けられる場合について説明したが、例えばビデオカメラでも構わない。
【００５６】
また、実施形態に係るカメラ用ハンドストラップ１では、留め金具としてバックル６，６を用いたが、ハンドストラップ本体２とカメラ取り付けひも３，３とを着脱可能に連結できればどのような留め金具でも構わない。
【００５７】
さらに、実施形態に係るカメラ用ハンドストラップ１では、コキの中軸２２ｂを回転自在にするために、中軸２２ｂに回転環２３を備える構成としたが、中軸２２ｂ自体を回転自在にしても構わない。
【００５８】
この発明において中軸２２ｂと平行な辺とは、中軸２２ｂと交差する辺ではないことをいう。
【符号の説明】
【００５９】
１  カメラ用ハンドストラップ
２  ハンドストラップ本体
３  カメラ取り付けひも
４  環体（Ｄカン）
５  結束部材
６  留め金具（バックル）
【図１】
2016126173.tif 000003
【図２】
2016126173.tif 000004
【図３】
2016126173.tif 000005
【図４】
2016126173.tif 000006
【図５】
2016126173.tif 000007